(57)【要約】【課題】少量の採血準備の際に、血液が皮膚に沿って流れ落ちないようにする。【解決手段】裏面に接着剤を塗布した採血用絆創膏であって、貫通孔を有し、その側面は血液を撥くように処理されている。【選択図】図１
2005074125.tif 000002
【特許請求の範囲】
【請求項１】
裏面に接着剤を塗布した採血用絆創膏であって、貫通孔を有し、その側面は血液を撥くように処理されている採血用絆創膏。
【請求項２】
接着部の裏面に接着剤を塗布し、切り抜き部の裏面には麻酔性物質が塗布されており、切り抜き部を指等でつまんで除去すると貫通孔が形成され、その側面は血液を撥くように処理されている採血用絆創膏。
【請求項３】
貫通孔の中空部体積が採血必要量に等しい請求項１または２に記載の採血用絆創膏。
【発明の詳細な説明】
【技術分野】
【０００１】
本発明は医療従事者あるいは本人が少量の採血の際に用いる採血用絆創膏に関する。本発明に係る採血用絆創膏は動物からの採血の際に用いることもできる。
【背景技術】
【０００２】
少量の採血を行う際には、従来、指先、耳たぶなどをアルコールで拭き消毒しただけで、皮膚に注射針等を刺し、血がある程度出るのを待って少量の採血をしていた。
【発明の開示】
【発明が解決しようとする課題】
【０００３】
しかし、血が皮膚に沿って流れてしまうことがしばしば起きる。すると、皮膚の表面には微量の血液しかたまらず、所定量の血液を採取することができない。特に、血液の出が悪く、所定量の血液が出るのに長い時間待たねばならない人間の場合には、その間に血液が皮膚に沿って流れやすく問題である。
【０００４】
そこで、本発明の目的は上記のような少量の採血準備の際に、血液が皮膚に沿って流れ落ちないようにすることである。
【課題を解決するための手段】
【０００５】
上記目的は、請求項１に記載の第１発明に係る採血用絆創膏、すなわち、裏面に接着剤を塗布した採血用絆創膏であって、貫通孔を有し、その側面は血液を撥くように処理されている採血用絆創膏によって、達成される。
【０００６】
また、上記目的は、請求項２に記載の第２発明に係る採血用絆創膏、すなわち、接着部の裏面に接着剤を塗布し、切り抜き部の裏面には麻酔性物質が塗布されており、切り抜き部を指等でつまんで除去すると貫通孔が形成され、その側面は血液を撥くように処理されている採血用絆創膏によって、達成される。
【０００７】
本発明の好ましい実施態様においては、請求項３に記載のように、貫通孔の中空部体積が採血必要量に等しい。
【発明の効果】
【０００８】
第１発明及び第２発明に係る採血用絆創膏によれば、皮膚に接着し、一部分に円形貫通孔を形成し皮膚の一部を露出させるとともに凹部を設けるので、皮膚の露出部に針等を刺して血液を出すと凹部（皮膚の露出部と円形貫通孔の側面とからなる。）に血液がたまり皮膚に沿って流れ落ちることがない。
【０００９】
第1発明及び第２発明に係る採血用絆創膏によれば、円形貫通孔の側面は血液を撥くように処理されているので、血液は絆創膏に浸み込むことなく、凹部にたまる。
【００１０】
第２発明に係る採血用絆創膏によれば、円形の切り抜き部の裏面に麻酔性物質が塗布されているので、皮膚に接触して所定時間放置すると、接触した部分の皮膚から麻酔性物質が吸収され神経が軽度に麻痺する。その後に、切り抜き部を除去すると皮膚のうちその部分が露出する。当該露出部に針等を刺しても痛みがなく、採血を容易に行うことができる。
【発明を実施するための最良の形態】
【００１１】
以下、本発明の実施形態について、添付図面を参照して、詳細に説明する。
【００１２】
第１実施形態
図１は第１実施形態の採血用絆創膏の斜視図である。
【００１３】
第１実施形態の採血用絆創膏は円板状であり、中心を共通にして円形貫通孔１４が形成されて同心円状となっている。円形貫通孔１４の側面１１には血液を撥く化学物質（例えばシリコーンやテフロン（登録商標））が塗布されている。裏面１３には接着剤が塗布されている。接着剤を被う不図示の剥離シートを取り付けておき、皮膚に貼り付ける直前に剥離シートをはがして接着剤を露出させるのが好ましい。１０は表面、１２は外側面である。採血用絆創膏は短時間皮膚に貼り付けた後にはがし捨てるので、通気性についてはある程度あれば十分であるが、伸縮性が優れていると皮膚に密着しやすく好ましい。
【００１４】
第１実施形態の採血用絆創膏を皮膚に貼り付けると、円形貫通孔１４からのみ皮膚が露出する。この露出部と円形貫通孔１４の側面１１によって凹部が形成される。そして、露出部に針等を刺すと、血液が出てくるが、凹部のために、血液は周囲に流れ出しにくい。円形貫通孔１４の中空部体積を所定量、例えば３０μｌや５０μｌに設計しておけば、凹部が満たされるまで血液を出すことによって、精度よく所望量の血液を採取することができる。
【００１５】
図２は第２実施形態の採血用絆創膏の概略図であり、（ａ）は切り抜き部を除去する前の状態を示し、（ｂ）は切り抜き部を取り除いた後の状態を示す。
【００１６】
図２（ａ）に示すように、第２実施形態の採血用絆創膏は四隅を丸くした長方形であり、その中央には円形の切り抜き部２５が形成されており、その周囲には切り込み線２７が設けてある。切り込み線２７を介して、切り抜き部２５と他の部分とは接続されているが、指等で引っ張ると容易に切り離すことができる。
【００１７】
切り抜き部２５の裏面２６には麻酔性物質が塗布されている。使用時までに麻酔性物質が露出しないとともに、使用時には容易に露出させることができるように剥離シートで被っておくのが好ましい。
【００１８】
切り抜き部２５以外の部分は接着部であり、接着部の裏面２３には接着剤が塗布されている。接着剤は剥離シートによって被われているのが好ましい。２０は接着部の表面であり、２２は接着部の外側面である。
【００１９】
切り抜き部２５を指などでつまんで引っ張ると、切り込み線２７に沿って分離されて切り抜き部を簡単に除去することができ、図２（ｂ）に示す状態になる。すなわち、第２実施形態の採血用絆創膏は中央に円形貫通孔２４が形成される。円形貫通孔の側面２１には血液を撥く化学物質（例えばシリコーンやテフロン（登録商標））が塗布されている。
【００２０】
次に、第２実施形態の採血用絆創膏の使用方法について説明する。
【００２１】
剥離シートをはがして、接着剤及び麻酔性物質を露出する。そして、皮膚に採血用絆創膏を貼り付ける。この状態で２〜３分放置すると、麻酔性物質が皮膚から吸収されて、神経が麻痺する。その後に、切り抜き部を指でつまんで引っ張ると、切り込み線２７に沿って切り抜き部が分離されて、除去される。すると、円形貫通孔２４が形成される。円形貫通孔２４から露出する皮膚は神経が麻痺している状態であるが、その皮膚に針等を刺して血液を出す。針等を刺しても痛みはほとんど感じない。そして、血液が出てきても凹部の中に溜まるので血液が皮膚に沿って流れ落ちることはない。
【図面の簡単な説明】
【００２２】
【図１】第１実施形態の採血用絆創膏の斜視図である。
【図２】第２実施形態の採血用絆創膏の概略図であり、（ａ）は切り抜き部を除去する前の状態を示し、（ｂ）は切り抜き部を取り除いた後の状態を示す。
【符号の説明】
【００２３】
１０  表面
１１  側面
１２  外側面
１３  裏面
１４  円形貫通孔
２０  接着部の表面
２１  円形貫通孔の側面
２２  接着部の外側面
２３  接着部の裏面
２４  円形貫通孔
２５  切り抜き部
２６  切り抜き部の裏面
２７  切り込み線
【図１】
2005074125.tif 000003
【図２】
2005074125.tif 000004